【手続補正書】
【提出日】平成18年6月14日(2006.6.14)
【手続補正１】
【補正対象書類名】明細書
【補正対象項目名】発明の名称
【補正方法】変更
【補正の内容】
【発明の名称】インクジェット記録装置、データ供給装置、データ処理装置、データ生成方法、プログラム、記憶媒体
【手続補正２】
【補正対象書類名】明細書
【補正対象項目名】特許請求の範囲
【補正方法】変更
【補正の内容】
【特許請求の範囲】
【請求項１】  少なくとも第１のインクと当該第１のインクよりも高い浸透性を示す第２のインクを被記録媒体に付与して記録を行うインクジェット記録装置であって、
前記被記録媒体を複数に区画してなる単位領域のうち、前記第１のインクの付与量が所定量を超える単位領域を検出する手段と、
前記検出された領域に対して前記２のインクを付与するために前記第２のインクの付与データを生成する手段と、
を有することを特徴とするインクジェット記録装置。
【請求項２】  少なくとも第１のインクと当該第１のインクよりも高い浸透性を示す第２のインクを被記録媒体に付与して記録を行うインクジェット記録装置であって、
前記被記録媒体を複数に区画してなる単位領域毎に、当該単位領域に対応する前記第１のインクの付与データに基づいて前記第１のインクの付与量が所定量を超える領域を検出する手段と、
前記検出された領域に対して前記第２のインクを付与するための前記第２のインクの付与データを生成する手段と、
前記検出された領域に対して、前記第１のインクの付与データに基づいて前記第１のインクを付与し且つ前記第２のインクの付与データに基づいて前記第２のインクを付与するための手段と、
を有することを特徴とするインクジェット記録装置。
【請求項３】  少なくとも第１のインクと当該第１のインクよりも高い浸透性を示す第２のインクを被記録媒体に付与して記録を行うインクジェット記録装置であって、
前記被記録媒体を複数に区画してなる単位領域毎に、当該単位領域に対応する前記第１のインクの付与データに基づいて前記単位領域に対して前記第２のインクを付与するか否かを決定する手段を有することを特徴とするインクジェット記録装置。
【請求項４】  前記決定手段は、前記第１のインクの付与データが示す前記第１のインクの付与量が所定量を超える領域に対して前記第２のインクを付与することを決定し、前記第１のインクの付与データが示す前記第１のインクの付与量が所定量を超えない領域に対して前記第２のインクを付与しないことを決定することを特徴とする請求項３に記載のインクジェット記録装置。
【請求項５】  前記単位領域は、一定の画素数で構成される領域であることを特徴とする請求項１乃至４のいずれかに記載のインクジェット記録装置。
【請求項６】  前記第１のインクは前記第２のインクと反応する成分を含有することを特徴とする請求項１乃至５のいずれかに記載のインクジェット記録装置。
【請求項７】  前記第１のインクはブラックインクであり、前記第２のインクはブラック以外の色を有するカラーインクであることを特徴とする請求項１乃至６のいずれかに記載のインクジェット記録装置。
【請求項８】  ブラックインクと当該ブラックインクよりも高い浸透性を示し且つ当該ブラックインクと反応するカラーインクを被記録媒体に付与して記録を行うインクジェット記録装置であって、
前記被記録媒体を複数に区画してなる単位領域毎に、当該単位領域に対応するブラックインクの付与データに基づいて当該単位領域に対するブラックインクの付与量が所定量を超える領域を検出する手段と、
前記検出された領域に対して前記カラーインクを付与するための前記カラーインクの付与データを生成する手段と、
前記検出された領域に対して、前記ブラックインクの付与データに基づいて前記ブラックインクを付与し且つ前記カラーインクの付与データに基づいて前記カラーインクを付与するための手段と、
を有することを特徴とするインクジェット記録装置。
【請求項９】  ブラックインクと当該ブラックインクよりも高い浸透性を示し且つ当該ブラックインクと反応するカラーインクを被記録媒体に付与して記録を行うインクジェット記録方法であって、
前記被記録媒体を複数に区画してなる単位領域毎に、当該単位領域に対応するブラックインクの付与データに基づいて当該単位領域に対するブラックインクの付与量が所定量を超える領域を検出する工程と、
前記検出された領域に対して前記カラーインクを付与するための前記カラーインクの付与データを生成する工程と、
前記検出された領域に対して、前記ブラックインクの付与データに基づいて前記ブラックインクを付与し且つ前記カラーインクの付与データに基づいて前記カラーインクを付与する工程と、
を有することを特徴とするインクジェット記録方法。
【請求項１０】  ブラックインクと当該ブラックインクよりも高い浸透性を示し且つ当該ブラックインクと反応するカラーインクを被記録媒体に付与して記録を行うインクジェット記録装置へデータを供給するためのデータ供給装置であって、
前記被記録媒体を複数に区画してなる単位領域毎に、当該単位領域に対応するブラックインクの付与データに基づいて当該単位領域に対するブラックインクの付与量が所定量を超える領域を検出する手段と、
前記検出された領域に対して前記カラーインクを付与するための前記カラーインクの付与データを生成する手段と、
を有することを特徴とするデータ供給装置。
【請求項１１】  少なくとも第１のインクと当該第１のインクよりも高い浸透性を示す第２のインクを被記録媒体に付与して記録を行うインクジェット記録装置へデータを供給するためのデータ供給装置であって、
前記被記録媒体を複数に区画してなる単位領域毎に、当該単位領域に対応する前記第１のインクの付与データに基づいて前記単位領域に対して前記第２のインクを付与するか否かを決定する手段と、
前記決定工程において前記第２のインクを付与することが決定された場合、前記所定領域に対応する前記第２のインクの付与データを生成する手段と、
を有することを特徴とするデータ処理装置。
【請求項１２】  ブラックインクと当該ブラックインクよりも高い浸透性を示し且つ当該ブラックインクと反応するカラーインクを被記録媒体に付与して記録を行うインクジェット記録装置で用いられるデータを生成するためのデータ生成方法であって、
前記被記録媒体を複数に区画してなる単位領域毎に、当該単位領域に対応するブラックインクの付与データに基づいて当該単位領域に対するブラックインクの付与量が所定量を超える領域を検出する工程と、
前記検出された領域に対して前記カラーインクを付与するための前記カラーインクの付与データを生成する工程と、
を有することを特徴とするデータ生成方法。
【請求項１３】  少なくとも第１のインクと当該第１のインクよりも高い浸透性を示す第２のインクを被記録媒体に付与して記録を行うインクジェット記録装置で用いられるデータを生成するためのデータ生成方法であって、
前記被記録媒体を複数に区画してなる単位領域毎に、当該単位領域に対応する前記第１のインクの付与データに基づいて前記単位領域に対して前記第２のインクを付与するか否かを決定する工程と、
前記決定工程において前記第２のインクを付与することが決定された場合、前記所定領域に対応する前記第２のインクの付与データを生成する工程と、
を有することを特徴とするデータ生成方法。
【請求項１４】  少なくとも第１のインクと当該第１のインクよりも高い浸透性を示す第２のインクを被記録媒体に付与して記録を行うインクジェット記録装置で用いられるデータを生成するための処理を行うプログラムであって、
前記被記録媒体を複数に区画してなる単位領域のうち、前記第１のインクの付与量が所定量を超える単位領域を検出する工程と、
前記検出された領域に対して前記２のインクを付与するために前記第２のインクの付与データを生成する工程と、
をコンピュータに実行させることを特徴とするプログラム。
【請求項１５】  コンピュータにより読み出し可能なプログラムを格納した記憶媒体であって、請求項１４に記載のプログラムを格納したことを特徴とする記憶媒体。
【手続補正３】
【補正対象書類名】明細書
【補正対象項目名】０００１
【補正方法】変更
【補正の内容】
【０００１】
【発明の属する技術分野】
本発明は、ブラックインクとカラーインクなどのように、被記録媒体に対して浸透性の異なるインクを吐出して画像を形成するようにしたインクジェット記録装置およびこれにデータを供給するためのデータ供給装置等に関し、特にインクジェット記録装置における記録速度及び記録品質の向上に関するものである。
【手続補正４】
【補正対象書類名】明細書
【補正対象項目名】００１２
【補正方法】変更
【補正の内容】
【００１２】
【課題を解決するための手段】
上記目的を達成するための本発明は、少なくとも第１のインクと当該第１のインクよりも高い浸透性を示す第２のインクを被記録媒体に付与して記録を行うインクジェット記録装置であって、前記被記録媒体を複数に区画してなる単位領域のうち、前記第１のインクの付与量が所定量を超える単位領域を検出する手段と、前記検出された領域に対して前記２のインクを付与するために前記第２のインクの付与データを生成する手段と、を有することを特徴とする。
また、本発明は、少なくとも第１のインクと当該第１のインクよりも高い浸透性を示す第２のインクを被記録媒体に付与して記録を行うインクジェット記録装置であって、前記被記録媒体を複数に区画してなる単位領域毎に、当該単位領域に対応する前記第１のインクの付与データに基づいて前記第１のインクの付与量が所定量を超える領域を検出する手段と、前記検出された領域に対して前記第２のインクを付与するための前記第２のインクの付与データを生成する手段と、前記検出された領域に対して、前記第１のインクの付与データに基づいて前記第１のインクを付与し且つ前記第２のインクの付与データに基づいて前記第２のインクを付与するための手段と、を有することを特徴とする。
また、本発明は、少なくとも第１のインクと当該第１のインクよりも高い浸透性を示す第２のインクを被記録媒体に付与して記録を行うインクジェット記録装置であって、前記被記録媒体を複数に区画してなる単位領域毎に、当該単位領域に対応する前記第１のインクの付与データに基づいて前記単位領域に対して前記第２のインクを付与するか否かを決定する手段を有することを特徴とする。
また、本発明は、ブラックインクと当該ブラックインクよりも高い浸透性を示し且つ当該ブラックインクと反応するカラーインクを被記録媒体に付与して記録を行うインクジェット記録装置であって、前記被記録媒体を複数に区画してなる単位領域毎に、当該単位領域に対応するブラックインクの付与データに基づいて当該単位領域に対するブラックインクの付与量が所定量を超える領域を検出する手段と、前記検出された領域に対して前記カラーインクを付与するための前記カラーインクの付与データを生成する手段と、前記検出された領域に対して、前記ブラックインクの付与データに基づいて前記ブラックインクを付与し且つ前記カラーインクの付与データに基づいて前記カラーインクを付与するための手段と、を有することを特徴とする。
【手続補正５】
【補正対象書類名】明細書
【補正対象項目名】００１３
【補正方法】変更
【補正の内容】
【００１３】
また、本発明は、ブラックインクと当該ブラックインクよりも高い浸透性を示し且つ当該ブラックインクと反応するカラーインクを被記録媒体に付与して記録を行うインクジェット記録方法であって、前記被記録媒体を複数に区画してなる単位領域毎に、当該単位領域に対応するブラックインクの付与データに基づいて当該単位領域に対するブラックインクの付与量が所定量を超える領域を検出する工程と、前記検出された領域に対して前記カラーインクを付与するための前記カラーインクの付与データを生成する工程と、前記検出された領域に対して、前記ブラックインクの付与データに基づいて前記ブラックインクを付与し且つ前記カラーインクの付与データに基づいて前記カラーインクを付与する工程と、を有することを特徴とする。
【手続補正６】
【補正対象書類名】明細書
【補正対象項目名】００１４
【補正方法】変更
【補正の内容】
【００１４】
また、本発明は、ブラックインクと当該ブラックインクよりも高い浸透性を示し且つ当該ブラックインクと反応するカラーインクを被記録媒体に付与して記録を行うインクジェット記録装置へデータを供給するためのデータ供給装置であって、前記被記録媒体を複数に区画してなる単位領域毎に、当該単位領域に対応するブラックインクの付与データに基づいて当該単位領域に対するブラックインクの付与量が所定量を超える領域を検出する手段と、前記検出された領域に対して前記カラーインクを付与するための前記カラーインクの付与データを生成する手段と、を有することを特徴とする。
【手続補正７】
【補正対象書類名】明細書
【補正対象項目名】００１５
【補正方法】変更
【補正の内容】
【００１５】
また、本発明は、少なくとも第１のインクと当該第１のインクよりも高い浸透性を示す第２のインクを被記録媒体に付与して記録を行うインクジェット記録装置へデータを供給するためのデータ供給装置であって、前記被記録媒体を複数に区画してなる単位領域毎に、当該単位領域に対応する前記第１のインクの付与データに基づいて前記単位領域に対して前記第２のインクを付与するか否かを決定する手段と、前記決定工程において前記第２のインクを付与することが決定された場合、前記所定領域に対応する前記第２のインクの付与データを生成する手段と、を有することを特徴とする。
【手続補正８】
【補正対象書類名】明細書
【補正対象項目名】００１６
【補正方法】変更
【補正の内容】
【００１６】
また、本発明は、ブラックインクと当該ブラックインクよりも高い浸透性を示し且つ当該ブラックインクと反応するカラーインクを被記録媒体に付与して記録を行うインクジェット記録装置で用いられるデータを生成するためのデータ生成方法であって、前記被記録媒体を複数に区画してなる単位領域毎に、当該単位領域に対応するブラックインクの付与データに基づいて当該単位領域に対するブラックインクの付与量が所定量を超える領域を検出する工程と、前記検出された領域に対して前記カラーインクを付与するための前記カラーインクの付与データを生成する工程と、を有することを特徴とする。
また、本発明は、少なくとも第１のインクと当該第１のインクよりも高い浸透性を示す第２のインクを被記録媒体に付与して記録を行うインクジェット記録装置で用いられるデータを生成するためのデータ生成方法であって、前記被記録媒体を複数に区画してなる単位領域毎に、当該単位領域に対応する前記第１のインクの付与データに基づいて前記単位領域に対して前記第２のインクを付与するか否かを決定する工程と、前記決定工程において前記第２のインクを付与することが決定された場合、前記所定領域に対応する前記第２のインクの付与データを生成する工程と、を有することを特徴とする。
【手続補正９】
【補正対象書類名】明細書
【補正対象項目名】００１７
【補正方法】変更
【補正の内容】
【００１７】
また、本発明は、少なくとも第１のインクと当該第１のインクよりも高い浸透性を示す第２のインクを被記録媒体に付与して記録を行うインクジェット記録装置で用いられるデータを生成するための処理を行うプログラムであって、前記被記録媒体を複数に区画してなる単位領域のうち、前記第１のインクの付与量が所定量を超える単位領域を検出する工程と、前記検出された領域に対して前記２のインクを付与するために前記第２のインクの付与データを生成する工程と、をコンピュータに実行させることを特徴とする。